(57)【要約】      （修正有）【課題】津波の圧力によって浮島構造体とガイドポールとの連結部に回転方向に大きな荷重がかからないようにし、津波来襲時に浮島構造体がガイドポールに案内されてスムーズに浮上するようにした津波避難装置を提供する。【解決手段】貯水用容体４は、海の近くの丘に掘られた穴に嵌合配置されている。ガイドポール６は、下方部分が地中深く埋没された状態で貯水用容体４の底壁部の略中央に立設され、垂直に丘の上方に延びるガイド面を有している。浮島構造体８は、中空の円柱形状を有し、上部壁の上に多数の人間を収容できるスペースが形成され内部の空間部を貫通して管状部が形成され、該管状部がガイドポール６に昇降可能に嵌挿している。浮島構造体８の管状部側には複数個のガイドローラが設けられ、浮島構造体８はガイドポール６に対して昇降及び回転自在となっている。【選択図】図１
0003181555.tif 000002
【実用新案登録請求の範囲】
【請求項１】
海の近くの丘に掘られた穴に嵌合配置され、円形の底壁部と該底壁部の周縁に立設された筒状の周壁部とから形成され該周壁部に海水取り入れ口を有する貯水用容体と、下方部分が地中深く埋没された状態で前記貯水用容体の底壁部の略中央に立設され、該底壁から垂直に丘の上方に延びるガイド面を有し、該ガイド面が断面円形の周面からなるガイドポールと、中空の円柱形状を有し、避難用上板部の上に多数の人間を収容できるスペースが形成され、内部の空間部を貫通して管状部が形成され、該管状部が前記ガイドポールに嵌挿する浮島構造体と、海水を丘の上から前記貯水用容体の海水取り入れ口に導くパイプとを備え、前記浮島構造体の管状部側に複数個のガイドローラを設け、各ガイドローラの周面を前記ガイドポールの周面に点接触させ、前記浮島構造体を前記ガイドポールに対して昇降及び回転自在としたことを特徴とする津波避難装置。
【請求項２】
前記浮島構造体の底部に方向舵を設けたことを特徴とする請求項１に記載の津波避難装置。
【請求項３】
前記浮島構造体の底部に方向舵を設け、該方向舵の反対側に、先細りの先端を有する流線型ブロックを設けたことを特徴とする請求項１に記載の津波避難装置。
【請求項４】
前記避難用上板部を前記浮島構造体とは別体に、該浮島構造体に対して回転自在に構成し、前記避難用上板部を回転防止機構を介して前記ガイドポールに昇降自在に取り付けたことを特徴とする請求項１に記載の津波避難装置。
【考案の詳細な説明】
【技術分野】
【０００１】
本考案は、普段は公園として使用できる一方、津波の発生時に避難場所として使用できるようにした津波避難装置に関する。
【背景技術】
【０００２】
津波が来たときに、地面に立設した芯柱に沿ってフロートが浮上し、フロートに避難した住民を津波の被害から守る浮体式津波避難艇が従来知られている（例えば特許文献１参照）。
その他、フロートの浮力により避難台を、地中に打ち込まれた支柱に沿って上昇可能とした構成のフロート式津波避難所が従来知られている（例えば特許文献２参照）。
【先行技術文献】
【特許文献】
【０００３】
【特許文献１】特開２０１２−１８８９２４号公報
【特許文献２】特開２００６−１１２０８９号公報
【考案の概要】
【考案が解決しようとする課題】
【０００４】
従来の津波避難装置は、海水によって浮上するフロートは、上方に延びる支柱に回転しないように支持された構成となっている。津波によってフロートが浮上するとき、フロートには波の力によって大きな回転方向の圧力がかかり、この圧力により、フロートと支柱との間の結合部に大きな摩擦力がかかる。
そのため、フロートの浮上が円滑に行われないという問題点がある。また、フロートに重量の大きな浮遊物が衝突したとき、フロートが回転しないと、その衝撃力が大きくフロートに作用し極めて危険である。そのためフロートと支柱との間の結合部の機構を強固に構成しなければならず、工事費や材料費が高くつき、コスト高となるという問題点がある。
本発明は、上記問題点を解決することを目的とするものである。
【課題を解決するための手段】
【０００５】
上記目的を達成するため、本考案は、ものである。
【考案の効果】
【０００６】
本考案は、浮島構造体がポールに対して回転自在なため、浮島構造体とポールとの間に回転方向に大きな荷重がかかるのを防止できる。また、方向舵によって、浮島構造体を海面上に安定的に浮遊させることができる。
【図面の簡単な説明】
【０００７】
【図１】本装置の全体外観説明図である。
【図２】本装置の全体外観説明図である。
【図３】本装置の断面説明図である。
【図４】浮島構造体の平面図である。
【図５】本装置の断面説明図である。
【図６】浮島構造体の底面図である。
【図７】本装置の他の実施形態の断面説明図である。
【図８】本装置の他の実施形態の断面説明図である。
【考案を実施するための形態】
【０００８】
以下に本考案の構成を添付した図面を参照して詳細に説明する。
図１は本考案に係る津波避難装置の全体構成を示している。津波避難装置２は、貯水用容体４と、該貯水用容体４の底部の略中心に、地面に対して垂直に立設された複数段式のガイドポール６と、該複数段式ガイドポール６に昇降自在に且つ回転自在に支承された浮島構造体８とより構成されている。
【０００９】
貯水用容体４は、津波の及ぶ海岸近くに人工的に作った丘１０の穴に内置されている。貯水用容体４は鋼板や、あるいはコンクリートなどの防水用壁材からなる底部４ａと、周壁部４ｂを有している。容体４の内部空間は略円柱状に形成され、容体４の内部は、上部が開放されている。
【００１０】
二段式のガイドポール６は、外周部の断面形状が円形の筒状の外側ポール６ａと、これの内側に内側ポール６ｂが複数のローラ１４，１４を介して、軸方向にスライド自在に且つ、外側ポール６ａに対して回転自在に嵌挿配置されている。
【００１１】
外側ポール６ａの下部は、地中に深く打ち込まれ、基礎材によって、強固に地中に固定されている。二段式ガイドポール６は、容体４の底部４ａの中央に配置され、外側ポール６ａは、容体４の底部４ａに形成された穴を貫通している。容体４の底部４ａの穴と、外側ポール６ａとの嵌合部は、溶接や、コンクリートなどによって密封処理が施されている。
【００１２】
貯水用容体４の底部４ａの中央には、上方に盛り上がった凸部が形成され、凸部により底部４ａの内壁面の高さに周縁部と中央とで段差が形成されている。浮島構造体８は、貯水用容体４内に配置され、図５に示すように、中央部に一体的に設けられた管状部８ａが外側ポール６ａの外周面に嵌挿配置されている。
【００１３】
浮島構造体８の管状部８ａの上下に回転自在に配置された複数のローラ１４，１４は外側ポール６ａの外周面に弾発的に当接し、上下各複数のローラ１４と複数のローラ１４によって、浮島構造体８は、外側ポール６ａに沿って昇降可能に且つ、回転可能に構成されている。
【００１４】
前記各ローラ１４，１４は、前記浮島構造体８の管状部８ａに設けられたローラ保持体にそれぞれガイドポール６の長手方向に対して直角な軸線を中心として回転自在に保持され、各ローラ１４，１４は、管状部８ａの上下の２位置において、外側ポール６ａの外周面に四方向から弾発的に点接触している。
【００１５】
各ローラ１４を保持するローラ保持体は所定の範囲内で揺動自在に管状部８ａに支持され、それぞれ弾発装置を有し、この弾発装置によって一方向に付勢されている。
【００１６】
浮島構造体８は、円盤状の底壁部８ｂと、該底壁部８ｂの縁部から垂直に所定の高さに立ち上がった周壁部８ｃと、周壁部８ｃの上縁に底壁部８ｂと水平となるように固定配置された避難用上板部８ｄとより構成され、浮島構造体８の、底壁部８ｂと周壁部８ｃと避難用上板部８ｄとで囲まれた内部スペースは、浮上用のフロート空間部を構成している。
【００１７】
前記底壁部８ｂと避難用上板部８ｄの中央にはそれぞれ円形の開口部が形成され、該開口部に管状部８ａが固定されている。管状部８ａと各開口部との間は溶接により固着されている。貯水用容体４内に配置された浮島構造体８は、避難用上板部８ｄと貯水用容体４の上縁部との高さが一致した状態において、外側ポール６ａに固設された板状のストッパー１６により係止され、該状態において、浮島構造体８の底面は、貯水用容体４の凸部に近接している。
【００１８】
浮島構造体８の底部には、板状の方向舵１８が３枚該底部に沿い該底部の中心を通る軸線に対して平行に延びるように平行方向に所定の長さを有し、且つ互いに所定間隔を存して設けられ、該各方向舵１８は浮島構造体８の底部から下方に垂直に突出する所定の縦幅を有している。前記浮島構造体８の底壁部８ｂの、前記方向舵１８の配置側とは反対側には流線形ブロック２０が設けられている。流線形ブロック２０は、方向舵１８と同一方向を向いて先細り状の先端部が形成され、全体形状が流線形を構成している。
【００１９】
前記内側ポール６ｂの下部に設けられた各ローラ１２は外側ポール６ａの内周面に点接触している。また、外側ポール６ａの内側の上部にはローラ２２が複数回転自在に配設され、各ローラ２２は内側ポール６ｂの外周面に点接触している。
【００２０】
内側ポール６ｂ側の各ローラ１２と外側ポール６ａ側の各ローラ２２によって構成されるガイド機構により、内側ポール６ｂは外側ポール６ａに沿って昇降可能且つ回転自在に構成されている。
内側ポール６ｂ側には、ストッパー２４が設けられ、これに対応して外側ポール６ａ側にストッパー２６が設けられている。また、内側ポール６ｂの上端には、浮島構造体８側の管状部８ａの上端と係合する想定外脱出キャップ２８が脱着可能に設けられている。
【００２１】
貯水用容体４の周壁部４ｂには、メンテナンス用のストッパー機構３０が左右に設けられ、地上から操作部を操作することで外部からストッパー３０ａを容体４の内部に突出させあるいは後退させることができるように構成されている。
【００２２】
貯水用容体４の下部には、複数の導管３２が連結し、該導管３２の一方口は丘１０の表面に開口し、海水取り入れ口３４となっている。導管３２内には、貯水用容体４内にメンテナンス用の作業員が出入りすることができるように、はしご３６が配設されている。
【００２３】
また、貯水用容体４の底部には給排水用パイプ３８が連結し、パイプ３８の給水口に水道を連結して給排水ポンプ４０を操作することで、外部からパイプ３８を通じて、貯水用容体４内に給水することができ、また、貯水用容体４内の水を外部に排水することができるように構成されている。
【００２４】
図中４２は、浮島構造体８の補強材、４４は防災用品入れ、４６は安全フェンス、４８は波除け部材であり、それぞれ、浮島構造体８に設けられている。普段の浮島構造体８の避難用上板部８ｄの上は、丘の公園として利用することができ、避難用上板部８ｄのフラットな平面は、約３０人〜数百人単位で避難できるスペースに構築される。
【００２５】
避難用上板部８ｄに住民が避難した浮島構造体８に津波が押し寄せると、海水５０が、海水取り入れ口３４から貯水用容体４内に流入し、容体４内が海水で満たされる。容体４内に流入した海水の浮力により、浮島構造体８は、ガイドポール６に沿って津波の高さに応じて上昇する。
【００２６】
押し寄せる津波の方向に応じて、方向舵１８と流線形ブロック２０の作用により、浮島構造体８はその方向が規制され、安定した状態を保持する。浮島構造体８の管状部８ａの上端が想定外脱出キャップ２８に達し、更に上昇すると、内側ポール６ｂが、外側ポール６ａから引き出されて上昇し、ローラ１４，１４が、引き出された内側ポール６ｂの外周面に弾接する。
【００２７】
浮島構造体８側のローラ１４は、ガイドポール６に対して点接触のため、浮島構造体８は、ガイドポール６に対して回転可能であり、更に、方向舵１８によってその向きが規制されるため、ガイドポール６と浮島構造体８との間のガイド機構に大きな荷重がかかることがない。
【００２８】
本考案の実施に際しては、政府発表の大津波予測に基づいて、上記ガイドポール６の伸張最大高さが設定される。予測が１０ｍで、１５ｍの襲来など想定外の津波が来たときの安全装置として、キャップ２８に対する浮島構造体８側の浮力圧力がある一定の設定圧力を越えると、キャップ２８が外れ、浮島構造体８はガイドポール６から外れるように構成されている。これにより、浮島構造体８はガイドポール６から外れて単独で漂流することで、想定外の津波から人命を守ることができる。
【００２９】
次に、本装置のテスト動作について説明する。
まず、海水取り入れ口３４を閉じた状態で、給排水ポンプ３８を給水側に駆動し、貯水用容体４内を水で満たし、その上端位まで、浮島構造体８を浮上させ、浮島構造体８が正常に浮上するかどうか確認する。
【００３０】
次に、貯水用容体４内部のメンテナンスを行う場合には、上記テストを行った際、浮島構造体８が浮上した状態で、ストッパー３０ａを突出させる。該状態で給排水ポンプ３８を排水側に駆動する。容体４内の水の減少に伴い、浮島構造体８が下降すると、浮島構造体８の底壁部８ｂはストッパー３０ａによって係止され、浮島構造体８は、所定の上昇位置に係止される。
【００３１】
該状態で更に給排水ポンプ３８で貯水用容体４内の水をくみ出し、内部を空にする。次に海水取り入れ口３４を開き、作業員が貯水用容体４内に入って浮島構造体８の底の下に入り込み、本装置のメンテナンスを行う。
【００３２】
上記実施形態では、浮島構造体の全体をガイドポールに対して回転自在としたが、図７に示すように、避難用の上板部５０を設けて、浮島構造体８の上板部を二重構造とし、この避難用の上板部５０を、浮島構造体８の本体側に固定された上板部８ｄに対して回転自在とするとともに、避難用上板部５０が、ガイドポール６に対して回転しない構成としても良い。図７において、ガイドポール５８の外周面に長手方向に沿って複数の溝５２が形成されている。
【００３３】
上板部５０の中心には、管状部５４が固設され、該管状部５４は、地中から立設されたガイドポール５８に遊嵌している。管状部５４には、その上下に前記溝５２に対応してガイドローラ５６が取り付けられ、これらのガイドローラ５６は、対応する溝５２に嵌合配置されている。
【００３４】
ガイドローラ５６の表面は、ガイドポール５８に回転自在に点接触し、上板部５０を、溝５２に沿って上下方向に案内するとともに、各ガイドローラ５６の両側面は、横方向の移動が溝５２に規制され、これにより上板部５０は、ガイドポール５８に対する回転が阻止されている。
【００３５】
上板部５０と浮島構造体８の本体側の上板部８ｄとの間には、複数のローラ６０が配置され、これらのローラ６０の案内によって、上板部５０に対して、浮島構造体８の本体側が回転自在な構成となっている。避難用上板部５０には、安全フェンス４６や防災用具入れ等が設けられている。
【００３６】
浮島構造体８の中央部には管状部８ａが形成され、該管状部８ａはローラ１４を介して、ガイドポール５８の外周面に昇降自在及び回転自在に嵌合している。他の構成は、図３に示す第１の実施形態と同一である。尚、ガイドポール５８の内部には、内側ガイドポールは設けられていないが第１の実施形態のように設けてもよい。
上記した構成において、津波がきたとき、浮島構造体８が回転しても、避難用上板部５０は、ガイドポール５８の溝５２とこれに嵌合するガイドローラ５６との回転阻止構造により、回転することがない。
【００３７】
図７に示す上記実施形態では、浮島構造体８の上板部を二重構造としたが図８に示すように、上板部８ｄを浮島構造体８の本体から独立した一重構造としても良い。図８において、上板部８ｄは、浮島構造体８の筒体部８ｃの上端縁に載置されている。
【００３８】
上板部８ｄの中央に固設された管状部６２には、上下にガイドローラ６４が取り付けられ、該ガイドローラ６４は、ガイドポール５８の長手方向に沿って形成された回転止め用の溝５２に嵌合し、ガイドローラ６４の周面は、溝５２の底面に回転自在に当接している。
【００３９】
上板部８ｄの中央に固設された管状部６２はガイドローラ６４を介してガイドポール５８に沿って昇降可能に取り付けられ、回転止め用の溝５２とこれに嵌合するガイドローラ６４はガイドポール５８に対する上板部８ｄの回転を防止する回転防止機構を構成している。他の構成は、上板部８ｄの図７に示す、第２の実施形態と同一である。
【符号の説明】
【００４０】
２      津波避難装置
４      貯水用容体
４ａ    底部
６      ガイドポール
６ａ    外側ポール
６ｂ    内側ポール
８      浮島構造体
８ａ    管状部
８ｂ    底壁部
８ｃ    周壁部
８ｄ    上壁部
１０    丘
１２    ローラ
１４    ローラ
１６    ストッパー
１８    方向舵
２０    流線形ブロック
２２    ローラ
２４    ストッパー
２６    ストッパー
２８    想定外脱出キャップ
３０    ストッパー機構
３０ａ  ストッパー
３２    導管
３４    海水取り入れ口
３６    はしご
３８    給排水用パイプ
４０    ポンプ
４２    補強材
４４    防災用品入れ
４６    フェンス
４８    波除け部材
５０    上板部
５２    溝
５４    管状部
５６    ガイドローラ
５８    ガイドポール
６０    ローラ
６２    管状部
６４    ガイドローラ
【図１】
0003181555.tif 000003
【図２】
0003181555.tif 000004
【図３】
0003181555.tif 000005
【図４】
0003181555.tif 000006
【図５】
0003181555.tif 000007
【図６】
0003181555.tif 000008
【図７】
0003181555.tif 000009
【図８】
0003181555.tif 000010
【手続補正書】
【提出日】平成24年12月21日(2012.12.21)
【手続補正１】
【補正対象書類名】明細書
【補正対象項目名】０００５
【補正方法】変更
【補正の内容】
【０００５】
上記目的を達成するため、本考案は、海の近くの丘に掘られた穴に嵌合配置され、円形の底壁部と該底壁部の周縁に立設された筒状の周壁部とから形成され該周壁部に海水取り入れ口を有する貯水用容体と、下方部分が地中深く埋没された状態で前記貯水用容体の底壁部の略中央に立設され、該底壁から垂直に丘の上方に延びるガイド面を有し、該ガイド面が断面円形の周面からなるガイドポールと、中空の円柱形状を有し、避難用上板部の上に多数の人間を収容できるスペースが形成され、内部の空間部を貫通して管状部が形成され、該管状部が前記ガイドポールに嵌挿する浮島構造体と、海水を丘の上から前記貯水用容体の海水取り入れ口に導くパイプとを備え、前記浮島構造体の管状部側に複数個のガイドローラを設け、各ガイドローラの周面を前記ガイドポールの周面に点接触させ、前記浮島構造体を前記ガイドポールに対して昇降及び回転自在としたことを特徴とする。
また本考案は、前記浮島構造体の底部に方向舵を設けたことを特徴とする。
また本考案は、前記浮島構造体の底部に方向舵を設け、該方向舵の反対側に、先細りの先端を有する流線型ブロックを設けたことを特徴とする。
また本考案は、前記避難用上板部を前記浮島構造体とは別体に、該浮島構造体に対して回転自在に構成し、前記避難用上板部を回転防止機構を介して前記ガイドポールに昇降自在に取り付けたことを特徴とするものである。